(57)【要約】【課題】直下だけでなく側面方向にも光を照射できる、小型で薄型の照明器具を提供する。【解決手段】器具本体２１と、前記器具本体２１の中央部に配置される電源部３１と、前記電源部３１の外周側に少なくとも前記電源部３１を囲うように光源を配置した光源部４１と、少なくとも前記光源部４１の照射面側を覆う光制御部材５１と、前記光制御部材５１の照射面側を少なくとも覆うとともに、前記器具本体２１に取り付けられる透光性のカバー部６１と、を有し、前記器具本体２１は、中央凸部２２を有し、前記中央凸部２２は、前記器具本体２１の平面視中央部において照射面側に突出するように設けられ、照射面側とは反対側の面に凹状の収容部２３と、前記収容部２３の有する空間を区画する隔壁２３ａと、有し、前記隔壁２３ａによって区画された空間に電源部３１が配置される。【選択図】図５
2019165029.tif 000002
【特許請求の範囲】
【請求項１】
器具本体と、
前記器具本体の中央部に配置される電源部と、
前記電源部の外周側に少なくとも前記電源部を囲うように光源を配置した光源部と、
少なくとも前記光源部の照射面側を覆う光制御部材と、
前記光制御部材の照射面側を少なくとも覆うとともに、前記器具本体に取り付けられる透光性のカバー部と、を有し、
前記器具本体は、中央凸部を有し、
前記中央凸部は、前記器具本体の平面視中央部において照射面側に突出するように設けられ、照射面側とは反対側の面に凹状の収容部と、前記収容部の有する空間を区画する隔壁と、有し、
前記隔壁によって区画された空間に前記電源部が配置される、照明器具。
【請求項２】
請求項１に記載の照明器具であって、
前記器具本体の中央凸部は、照射面側表面の中央に照射面側に向かって突出する反射部を有し、
前記電源部は、平面視で前記反射部と重なる位置に配置される、照明器具。
【請求項３】
請求項２に記載の照明器具であって、
前記反射部は、略円錐状に形成される、照明器具。
【請求項４】
請求項１から請求項３のいずれか一項に記載の照明器具であって、
前記光制御部材は、中央に開口を有するリング状に形成され、前記開口周縁に照射面側に向かって拡がる傾斜面を有する、照明器具。
【請求項５】
請求項１から請求項４のいずれか一項に記載の照明器具であって、
前記反射部は、少なくとも一部が前記光制御部材の開口から露出している、照明器具。
【請求項６】
請求項１から請求項５のいずれか一項に記載の照明器具であって、
前記カバー部は、平面視で前記器具本体の外形よりも大きく、前記器具本体の照射面側の側面側を覆う、照明器具。
【発明の詳細な説明】
【技術分野】
【０００１】
本発明は、照明器具に関する。
【背景技術】
【０００２】
従来から特許文献１に記載された照明器具のようなダウンライトが広く用いられている。近年では、特許文献２に記載の照明器具のように薄型で小型の天井直付け型のシーリングライトが開発されている。
【０００３】
特許文献１では、天井（建造物）などの取付け面に穴を空けて埋め込んだ状態で使用する照明器具が開示されている。この照明器具は、取付け面に埋め込まれる部分である本体部と、取付け面から外側に露出する部分である枠部とを有している。特許文献１の照明器具は、天井面の取り付け穴に埋め込むダウンライトであるため、天井面からの突出が少なく、天井面をすっきりさせる演出をすることができる。
【０００４】
特許文献２で開示される照明器具は、ＬＥＤランプ本体と取付板からなっている。ＬＥＤランプ本体は、ＬＥＤ照射方向から見て、筐体と、この中に収納される透光性カバーと、ＬＥＤユニット基板と、絶縁カバーと、基板支持部材と、端子台（電源端子台）とから概略構成されている。筐体は、下面部が開口し、上面部（照射方向）に透光性カバーの露出孔が開口した偏平の略筒形状である。
【先行技術文献】
【特許文献】
【０００５】
【特許文献１】特開２０１０−１８２４３２号公報
【特許文献２】特許第５６４３４１２号公報
【発明の概要】
【発明が解決しようとする課題】
【０００６】
しかしながら、特許文献１の照明器具では、天井に照明器具の取り付け穴を設ける必要があり、一度施工してしまうと照明器具を変更することが難しい場合もあった。特許文献２の照明器具では、光源からの光を筐体の中央に有する透光性カバーから照射し、照明器具の直下を照らす構成となっており、側面方向への光照射が抑えられた構成である。
【０００７】
そこで、本発明は、上記課題に鑑みてなされたものであり、天井等の取付面に直付けでき、直下だけでなく側面方向にも光を照射できる、小型で薄型の照明器具を提供することを目的とする。
【課題を解決するための手段】
【０００８】
本発明の解決しようとする課題は以上の如くであり、次にこの課題を解決するための手段を説明する。
【０００９】
すなわち、本願に開示する照明器具は、
器具本体と、
前記器具本体の中央部に配置される電源部と、
前記電源部の外周側に少なくとも前記電源部を囲うように光源を配置した光源部と、
少なくとも前記光源部の照射面側を覆う光制御部材と、
前記光制御部材の照射面側を少なくとも覆うとともに、前記器具本体に取り付けられる透光性のカバー部と、を有し、
前記器具本体は、中央凸部を有し、
前記中央凸部は、前記器具本体の平面視中央部において照射面側に突出するように設けられ、照射面側とは反対側の面に凹状の収容部と、前記収容部の有する空間を区画する隔壁と、有し、
前記隔壁によって区画された空間に前記電源部が配置されるものである。
【００１０】
本願に開示する照明器具において、
前記器具本体の中央凸部は、照射面側表面の中央に照射面側に向かって突出する反射部を有し、
前記電源部は、平面視で前記反射部と重なる位置に配置されることが好ましい。
【００１１】
本願に開示する照明器具において、
前記反射部は、略円錐状に形成されることが好ましい。
【００１２】
本願に開示する照明器具において、
前記光制御部材は、中央に開口を有するリング状に形成され、前記開口周縁に照射面側に向かって拡がる傾斜面を有することが好ましい。
【００１３】
本願に開示する照明器具において、
前記反射部は、少なくとも一部が前記光制御部材の開口から露出していることが好ましい。
【００１４】
本願に開示する照明器具において、
前記カバー部は、平面視で前記器具本体の外形よりも大きく、前記器具本体の照射面側の側面側を覆うことが好ましい。
【発明の効果】
【００１５】
本発明によれば、直下だけでなく側面方向にも光を照射できる、小型で薄型の照明器具を提供することができる。
【図面の簡単な説明】
【００１６】
【図１】本発明の第１実施形態に係る照明器具を示す斜視図。
【図２】同じく照明器具を示す側面図。
【図３】同じく照明器具（光制御部材及びカバー部を取り外した状態）を示す平面図。
【図４】同じく照明器具の取付面側を示す図。
【図５】図４におけるＡ−Ａ′線断面図。
【図６】図４におけるＢ−Ｂ′線断面図。
【図７】第２実施形態に係る照明器具を示す斜視図。
【図８】同じく照明器具（光制御部材及びカバー部を取り外した状態）を示す平面図。
【図９】図８におけるＡ−Ａ′線断面図。
【図１０】光制御部材の変形例を示す平面図。
【図１１】図１０におけるＡ−Ａ′線断面図。
【図１２】電源カバー部材の変形例を示す断面図。
【図１３】光制御部材の変形例を示す平面図。
【図１４】光制御部材による光制御を説明するための説明図。
【発明を実施するための形態】
【００１７】
本発明の第１実施形態に係る照明器具１１について、図１から図６を用いて説明する。第１実施形態に係る照明器具１１は、ＬＥＤ素子４２を光源とする照明器具である。照明器具１１は、例えば天井面等の取付面に直接取り付けられるシーリングライトとして使用することが可能である。なお、照明器具１１は、天井面に限らず、壁面（傾斜面も含む）に取り付けてブラケットライトとして使用することも可能である。以下の説明では、照明器具１１の光を照射する側を照明器具１１の照射面側とし、照明器具１１における天井面等の取付面に対向する側を照明器具１１の取付面側（照射面側の反対側）として説明する。照明器具１１の照射面側とは、後述する器具本体２１の表面側とし、直下方向と直下方向と略直交する側面方向の両方を含む。また、照明器具１１の取付面側とは、器具本体１１の裏面側である。また、図５、図６等に示す照明器具１１において、説明の便宜上前記照射面側の直下方向を上方とし、前記取付面側を下方として説明する。また、以下の説明において、上方から照明器具１１等を視た状態を平面視とする。上下方向に対して直交方向から照明器具１１等を視た状態を側面視とする。照明器具１１等の断面形状を視た状態を断面視とする。
【００１８】
図１から図６に示すように、照明器具１１は、器具本体２１、電源部３１、光源部（ＬＥＤモジュール基板）４１、光制御部材５１、及びカバー部６１を主に備える。照明器具１１の外形は、平面視において略円形状であって、照明器具１１の高さ方向（図５の照明器具１１の上下方向）の寸法が、照明器具１１の径方向（図５の照明器具１１の上下方向に対して直交方向）の寸法よりも小さい薄型の略円柱形状である。
なお、照明器具１１の外形形状は、本実施形態に限定されるものではない。平面視において略円形状以外に、例えば、楕円形状、正方形状、長方形状や多角形状、またはそれらを組み合わせた形状にすることもできる。
【００１９】
器具本体２１は、平面視において略円形状であって、中央部が照射面側（図５では、上方）に突出した形状の部材である。器具本体２１は、電源部３１、光源部４１、光制御部材５１、及びカバー部６１等を保持するものである。具体的には、器具本体２１は、電源部３１及び配線等を取付面側の後述する収容部２３に収容し、照射面側に光源部４１、光制御部材５１、及びカバー部６１を取り付けて保持する部材である。器具本体２１を構成する材料としては、例えば熱伝導率の高いアルミニウムやアルミニウム合金等の金属材料が挙げられる。器具本体２１は、光源部４１で発生した熱を伝えて外部に放出する放熱機能も有する。器具本体２１は、電源部３１、光源部４１、光制御部材５１及びカバー部６１等を保持可能な耐久性と、光源部４１が発する熱を放熱させるための熱伝導性とを考慮し、アルミニウム等の金属材料を用いて形成されている。器具本体２１は、平面視における外形形状が、カバー部６１の内形形状と略一致するかやや小さくなるように形成されている。
なお、器具本体２１は、耐久性及び必要な放熱性が確保できる材料であれば、アルミニウムなどの金属に限らず、樹脂などの他の材料、もしくはそれらの組み合わせで形成することができる。本実施形態の器具本体２１は、中央部が照射面側に突出した形状に形成されるが、このように、器具本体２１を形成することで、器具本体２１の強度や剛性を上げることができる。
また、本実施形態においては、器具本体２１の形状として器具本体２１の中央部が照射面側に突出した形状に形成されているが、この形状に特に限定するものではない。
【００２０】
器具本体２１は、中央凸部２２、光源取付部２５、段差部２６及び外周縁部２７を主に有している。
【００２１】
中央凸部２２は、平面視が略円形状で外形が照射面側に向かって凸状に突出した中空の部分である。中央凸部２２は、径方向の中央部において照射面側に突出する略円錐形状の反射部２２ａと、該反射部２２ａの周囲に円環状に形成される円環部２２ｂと、該円環部２２ｂの外周縁から下方に延設される略円筒状の円筒部２２ｃを有している。反射部２２ａは、光制御部材５１の内壁面で反射された光を反射して照射面側に出射する部分である。中央凸部２２の取付面側は、凹状の収容部２３が形成されている。
【００２２】
収容部２３は、電源部３１や配線３６等を収容して配置するための空間であり、内部にこれらを収容するための高さ及び幅が確保されている。収容部２３は、有底略円筒状の空間であって、直径方向に亘って該収容部２３を２分割する隔壁２３ａを有している（図５参照）。隔壁２３ａの下端は、上下方向において器具本体２１の下端近傍まで延出されている。収容部２３は、隔壁２３ａにより区画される、電源部３１を収容するための第１収容部２３ｂと、該電源部３１から延出される配線３６等を配置するための第２収容部２３ｃを有している。隔壁２３ａの下端には、配線３６を挿通するための切欠き部２３ｄが形成されている。
【００２３】
光源取付部２５は、光源部（ＬＥＤモジュール基板）４１が取り付けられる部分である。光源取付部２５は、中央凸部２２の円筒部２２ｃの下端から径方向外側に延出される平面視円環状の平板部分である。光源取付部２５は、円環部２２ｂから上下方向に所定間隔（円筒部２２ｃの上下方向の高さ寸法分）離間して中央凸部２２の周囲に形成される段部であり、反射部２２ａ及び円環部２２ｂよりも下方に位置している。光源取付部２５は、略円環状の取付面２５ａを有し、該取付面２５ａに光源部４１の基板４３が当接した状態で取り付けられる。器具本体２１は、光源部４１で発生した熱を伝えて外部に放出する放熱機能も有するため、光源部４１が当接される光源取付部２５の取付面２５ａは、光源部４１との接触面積が広くなるよう平坦に形成されている。
なお、本実施形態では、光源取付部２５の取付面２５ａの平面視形状を略円環状としているが、特に限定するものではなく、少なくとも基板４３の一部が取付可能であればよく、円環状以外のその他の形状であってもよい。
【００２４】
光源取付部２５の取付面側には、該光源取付部２５の周方向に沿って下方に突出して平面視半円弧状に形成される複数（本実施形態では、２つ）の突出片２５ｂが設けられている。複数の突出片２５ｂは、径方向に所定間隔離間して配置されている。複数の突出片２５ｂは、光源部４１で発生した熱を放熱するための放熱用フィンの役割をしている。光源取付部２５の外周端には、該外周端から下方に延出される略円筒状の段差部２６が連設されている。
なお、本実施形態では、光源取付部２５の取付面側に半円弧状の突出片２５ｂを設ける構成としているが、特に限定するものではなく、突出片２５ｂの形状は任意であり、突出片２５ｂを設けない構成とすることもできる。
【００２５】
外周縁部２７は、段差部２６の下端から径方向外側に突出した、平面視において、所定幅を有する略円環状の部分である。外周縁部２７は、光源取付部２５よりも径方向外側に配置され、上下方向において光源取付部２５よりも下方に位置する。外周縁部２７は、円環状の段部２７ａと、該段部２７ａの外周縁から下方に延出される略円筒状の段差部２７ｂの下端から径方向外側に突出した円環状の平板部分である円環平板部２７ｃを有する。外周縁部２７は、段部２７ａから径方向外側に延出され、ネジ等の取付部材により光制御部材５１を取り付けるためのネジ取付部２７ｄを有する。本実施形態では、光制御部材５１をネジ等の取付部材を用いて取り付けるためにネジ取付部２７ｄを設けたが、接着や嵌合等の取り付け方法を採用する場合には必ずしもネジ取付部２７ｄを設けなくても良い。外周縁部２７は、円環平板部２７ｃの外周縁に形成されるカバー部６１を係止して取り付けるための２箇所のカバー取付部２７ｅを有している。段部２７ａは、図６に示すように、光制御部材５１の下端が係止される部分である。ネジ取付部２７ｄは、平面視略矩形状で段部２７ａの径方向外側に対向して配置されている。外周縁部２７が有する円環平板部２７ｃには、該円環平板部２７ｃの径方向において一対の器具取付部２７ｆが対向して配置されている。器具取付部２７ｆは、照明器具１１をネジ等の取付部材により天井面等の取付面に取り付けるために開口して形成されたオーバル状の長孔である。
【００２６】
電源部３１は、光源部４１が有するＬＥＤ素子４２に給電を行って、ＬＥＤ素子４２を点灯させるための電源装置である。電源部３１は、電源回路と、該電源回路を収容する電源ケース３２と、該電源回路を収容した電源ケース３２を器具本体２１に保持するための板状の電源カバー部材３３を有している。電源ケース３２には、直方形状に加工されたプリント配線板上に複数の電子部品が実装された電源回路が収容される。電源ケース３２は、電源回路の周囲を覆うものである。電源カバー部材３３は、平面視半円形状の金属製の部材である。電源取付部材３３は、電源ケース３２の一端を保持する平板状の保持部３３ａと、該保持部３３ａの一端と段差部３３ｂを介して連設され、保持部３３ａよりも上方に位置する凸円弧面部３３ｃを有している。凸円弧面部３３ｃには、ネジ等の取付部材により電源カバー部材３３を器具本体２１のネジ孔に取り付けるためのネジ取付部３３ｄ（本実施形態では、１箇所）が形成されている。電源部３１は、電源ケース３２が収容部２３の第１収容部２３ｂに収容されるとともに電源カバー部材３３により該第１収容部２３ｂの取付面側が覆われた状態で、取付部材により電源カバー部材３３が器具本体２１に取り付けられる。このように電源カバー部材３３が器具本体２１に取り付けられた状態において、器具本体２１の外周縁部２７と段差部３３ｂと凸円弧面部３３ｃとにより区画される空間Ｓが形成されている（図５参照）。空間Ｓは、光源部４１で発生した熱を外部に放熱するための空間である。電源部３１は、外部商用電源から供給される交流電流を所定の直流電流に変換し、変換後の電流を基板４３に実装された複数のＬＥＤ素子４２に供給するためのものである。電源部３１から延出される配線３６は、一端が電源部３１と電気的に接続され、他端に接続端子３４を有している。接続端子３４は、収容部２３の第２収容部２３ｃに配置される。例えば、照明器具１１を天井等の取付面に取り付ける際、接続端子３４を天井裏側の外部商用電源の接続端子（図示せず）と接続することで、電源部３１は外部商用電源と電気的に接続される。電源部３１と光源部４１は配線３７によって電気的に接続されている。
なお、本実施形態では、接続端子３４を使用しているが、特に限定するものではない。例えば、接続端子３４を使用する代わりに、端子台を使用する構成とすることもできる。
【００２７】
なお、第１実施形態に係る照明器具１１では、収容部２３内に器具本体２１に連設される隔壁２３ａを有する構成としているが、特に限定するものではない。例えば、図１２に示すように、隔壁２３ａの代わりに、電源カバー部材３３の保持部３３ａの他端から上方に延設される板状の壁部３３ｅを形成することもできる。例えば、電源カバー部材３３Ａの一部を構成する壁部３３ｅは、隔壁２３ａに比べて薄い板金部材を折り曲げ加工等を用いて形成することができる。型成形等で器具本体２１と同時に形成される隔壁２３ａは、ある程度の厚みを有する形状にする必要がある。そのため、板金部材を折り曲げ加工等を用いて壁部３３ｅを形成した場合、型成形等で形成された隔壁２３ａよりも薄くかつ軽量化が図れるため照明器具の軽量化を図ることができる。
【００２８】
光源部４１は、照明器具１１の照射面側に向けて光を出射する部分である。光源部４１は、電源部３１を収容した中央凸部２２の径方向外側を取り囲むように配置されている。光源部４１は、光源である発光素子を有するモジュール基板である。光源部４１は、電源部３１の外周側に少なくとも電源部３１を囲うように配置される。本実施形態においては、発光素子として、基板４３上に複数の光源であるＬＥＤ（Ｌｉｇｈｔ  ｅｍｉｔｔｉｎｇ  ｄｉｏｄｅ）素子４２が表面実装されたＬＥＤ光源モジュールを使用している。具体的には、ＬＥＤ光源モジュールは、所定幅を有する円環状に加工された基板４３表面に、複数のＬＥＤ素子４２が周方向に配列された発光モジュールである。光源部４１は、複数（本実施形態では、３つ）のネジ部材４９で光源取付部２５に取り付けられている。基板４３は、配線３７によって電源部３１と電気的に接続されている。ＬＥＤ光源モジュールは、基板４３の実装面の裏面が光源取付部２５の取付面２５ａに当接して固定されるため、ＬＥＤ光源モジュールが発熱した際には、ＬＥＤ光源モジュールの熱が器具本体２１に伝わる。器具本体２１に伝わった熱は、器具本体２１の温度よりも周辺温度が低い場合、器具本体２１周辺の空気（例えば、突出片２５ｂの近傍の空気）へ伝わる。これにより、器具本体２１に伝わった熱は、取付面２５ａを介して器具本体２１の取付面側に放熱される。
なお、本実施形態では、光源として表面実装型のＬＥＤ素子４２を用いたが、光源の種類はＬＥＤ素子に限定されず、例えばＣＯＢ型発光モジュールや有機ＥＬ素子（ＯＬＥＤ）などを用いても実現可能である。
また、基板４３は、熱伝導性シート（図示せず）や放熱グリスを介して光源取付部２５に取り付けてもよく、これにより、より高い放熱性を得ることもできる。
【００２９】
光制御部材５１は、少なくとも光源部４１の照射面側を覆うように器具本体２１に取り付けられ、光源部４１（ＬＥＤ素子４２）からの光を反射及び拡散させつつ、外部へ配光制御する透光性部材である。光制御部材５１の全体形状は、平面形状が円形であり、上方に向かって緩やかにドーム状に膨らんでいる。光制御部材５１は、透光性を有する樹脂素材で形成されている。光制御部材５１は、最大内径寸法が器具本体２１が有する段差部２６の外径寸法よりも大きく（図６参照）、該段差部２６に係合可能である。光制御部材５１は、ＬＥＤ素子４２に埃などが付着することを防止するものである。光制御部材５１は、その側面に径方向外側に向けて突出して形成される、一対のネジ取付部５１ａを有している。ネジ取付部５１ａは、ネジ等の取付部材により器具本体２１が有するネジ取付部２７ｄに取り付けられる。
なお、本実施形態では、中央凸部２２及び光源部４１の照射面側を覆うドーム状の光制御部材５１を用いたが、この形状に特に限定するものではない。例えば、ドーム状の光制御部材５１の代わりに、外形が半球状、円柱状や後述するようなリング状（ドーナツ状）の光制御部材を使用することもできる。
【００３０】
カバー部６１は、光制御部材５１が取り付けられた器具本体２１の照射面側を少なくとも覆うように器具本体２１に取り付けられ、光源部４１からの光、すなわち、光制御部材５１を通過した光を反射及び拡散させつつ、外部へ配光する透光性部材である。カバー部６１は、外形が有底円筒状の薄型の透光性部材である。カバー部６１は、透光性を有する樹脂素材で形成されている。カバー部６１は、最大内径寸法が器具本体２１の外径寸法よりも大きく、器具本体２１に取り付け可能である。カバー部６１は、係止端部６１ａ、爪部６１ｂを有している。係止端部６１ａは、カバー部６１の開口端近傍の内周面において周方向に亘って形成された段差部分である。カバー部６１は、係止端部６１ａを外周縁部２７の外周縁に係止することで、器具本体２１に対してカバー部６１が位置決めされる。カバー部６１の開口端には、直径方向に対向する位置に径方向内側に向けて突出する一対の爪部６１ｂが形成されている。カバー部６１は、内部の清掃や器具本体２１の部品交換等のために、器具本体２１に対して着脱できる構造となっている。
また、カバー部６１の内側面は、白色もしくは乳白色に塗装されている。
なお、本実施形態におけるカバー部６１の形状は一例であって、有底円筒状の他、ドーム状や後述する有底角筒状などにすることもできる。
【００３１】
器具本体２１には、カバー部６１の爪部６１ｂを係止するために前述したカバー取付部２７ｅが設けられている。詳細は省略するが、カバー部６１を器具本体２１に取り付ける場合、カバー部６１は、爪部６１ｂを器具本体２１のカバー取付部２７ｅに挿入し、カバー部６１の周方向の一方に回動し、係止することで、器具本体２１に取り付けられる。また、カバー部６１が器具本体２１に取り付けられた状態でカバー部６１を周方向の他方に回動させると、カバー部６１の爪部６１ｂが器具本体２１のカバー取付部２７ｅから外れて、カバー部６１を器具本体２１から取り外すことができる。
【００３２】
次に、本発明の第２実施形態に係る照明器具１１について図７、図８及び図９を用いて説明する。本実施形態の照明器具１１は、器具本体２１の外周縁部の形状及びカバー部の形状が第１実施形態と異なっている。その他の構成は第１実施形態と同じであるため、第１実施形態と同一部分については第１実施形態と同じ符号を付して、その詳細な説明は省略する。
【００３３】
器具本体２１は、中央凸部２２、光源取付部２５、段差部２６及び外周縁部１２７を主に有している。
【００３４】
外周縁部１２７は、段差部２６の下端から径方向外側に突出した、平面視において、略正方形状の板状部分である。外周縁部１２７は、光源取付部２５よりも径方向外側に配置され、上下方向において光源取付部２５よりも下方に位置する。外周縁部１２７は、円環状の段部１２７ａと、該段部１２７ａの外周縁から下方に延出される略円筒状の段差部１２７ｂの下端から径方向外側に突出した四角形状の平板部分である角平板部１２７ｃを有している。外周縁部１２７は、段部１２７ａから径方向外側に延出され、ネジ等の取付部材により光制御部材５１を取り付けるためのネジ取付部１２７ｄを有している。外周縁部１２７は、角平板部１２７ｃの外周縁の一端に形成されるカバー部１６１を取り付けるためのカバー取付部１２７ｅを有している。段部１２７ａは、図９に示すように、光制御部材５１の下端が係止される部分である。ネジ取付部１２７ｄは、平面視略半円状で段部１２７ａの径方向外側に配置されている。本実施形態では、ネジ取付部１２７ｄを径方向に対向するように２箇所に配置したが、これに限らず、１箇所、もしくは複数箇所に配置することができる。外周縁部１２７が有する角平板部１２７ｃには、光源取付部２５を挟んで一対の器具取付部１２７ｆが対向して配置されている。器具取付部１２７ｆは、照明器具１１を取付部材により天井面等の取付面に取り付けるために開口して形成されたオーバル状の長孔である。カバー取付部１２７ｅは、外周縁部１２７における四方の外周縁の一辺の中央に立設した平板状の部分であり、カバー部１６１を取付部材１３０で取り付けるための取付孔が形成されている。
【００３５】
カバー部１６１は、光制御部材５１が取り付けられた器具本体２１の照射面側を覆うように器具本体２１に取り付けられ、光源部４１からの光、すなわち、光制御部材５１を通過した光を反射及び拡散させつつ、外部へ配光する透光性部材である。カバー部１６１は、平面視において略正方形状であって、外形が有底角筒状の薄型の透光性部材である。カバー部１６１は、透光性を有する樹脂素材で形成されている。カバー部１６１は、内形の幅及び長さ寸法が器具本体２１の外形の幅及び長さ寸法よりも大きく、カバー部１６１内に器具本体２１を収容可能である。カバー部６１は、内周面を器具本体２１の外周端に係合することで、器具本体２１に対してカバー部１６１が位置決めされる。カバー部１６１は、四方の外周面の一面に取付部材１３０を挿通するネジ取付部１６１ａ有している。カバー部１６１は、ネジ取付部１６１ａを、器具本体２１が有するカバー取付部１２７ｅの外側に配置して、取付部材１３０で取り付けられる。取付部材１３０は、容易に取り外し可能に構成されており、カバー部１６１が内部の清掃や器具本体２１の部品交換等のために、器具本体２１に対して着脱できる構造となっている。本実施形態では、カバー取付部１２７ｅとネジ取付部１６１ａを１箇所ずつ設けたが、これに限らず、複数箇所設けることもできる。また、カバー部１６１の内側面は、白色もしくは乳白色に塗装されている。
【００３６】
また、上述したカバー部６１やカバー部１６１は、内面側を白色に塗装しているが、特に限定するものではない。例えば、着色剤を部材中に添加したり、白色層を印刷やシール等で形成したりしてもよい。また、カバー部６１やカバー部１６１は、光透過率の異なる複数の部材を組み合わせて形成することもできる。例えば、外側面側カバー部材よりも光透過率の低い内側面側カバー部材を貼り付けた二重構造のカバー部材６１を形成することもできる。
【００３７】
次に、本発明の第３実施形態に係る照明器具１１について図１０、図１１を用いて説明する。本実施形態の照明器具１１は、光制御部材の形状のみが第２実施形態と異なるものであり、当該第２実施形態の光制御部材５１の変形例である光制御部材１５１について説明する。
【００３８】
光制御部材１５１は、光源部４１の照射面側を覆うように器具本体２１に取り付けられ、光源部４１（ＬＥＤ素子４２）からの光を反射及び拡散させつつ、外部へ配光制御する透光性部材である。光制御部材１５１は、透光性を有する樹脂素材で形成されている。光制御部材１５１の全体形状は、平面形状がリング状であり、中央部に開口が形成されている。具体的には、光制御部材１５１は、図１１に示すように、平面視における中央に開口形成される、反射部２２ａを露出させるための開口１５２と、該開口１５２から上方に向かって拡径する断面視傾斜面状の傾斜面部１５３と、該傾斜面部１５３の外周縁から径方向外側に延出される円環部１５４と、該円環部１５４の外周縁から下方に延出される略円筒状の円筒部１５５とを有している。光制御部材１５１は、最大内径寸法が器具本体２１が有する段差部２６の外径寸法よりも大きく（図１１参照）、該段差部２６に係合可能である。光制御部材５１は、径方向の両端部において径方向外側に向けて突出して形成される、一対のネジ取付部１５１ａを有している。ネジ取付部１５１ａは、ネジ等の取付部材により器具本体２１が有するネジ取付部２７ｄに取り付けられる。光制御部材５１は、ＬＥＤ素子４２に埃などが付着することを防止するものである。光制御部材１５１は、円環部２２ｂと円筒部２２ｃとが略直角に連設される角部を覆っている。これにより、当該角部の影がカバー部材１６１に出にくい。
なお、本実施形態では、反射部２２ａの少なくとも一部が光制御部材１５１が有する開口１５２から露出していればよい。
【００３９】
なお、第３実施形態に係る照明器具１１においては、有底角筒状のカバー部１６１を用いて構成しているが、特に限定するものではない。例えば、図１３に示すように、第１実施形態のように外形が略円形状の外周縁部を有する器具本体とし、該外周縁部に図１等に示すような有底円筒状のカバー部を取り付ける構成とすることもできる。
【００４０】
以上説明した本実施形態に係る照明器具１１によれば、光制御部材５１（１５１）の照射面側を少なくとも覆うとともに、器具本体２１に取り付けられる透光性のカバー部６１（１６１）と、を有している。従来の照明器具では、直下方向だけでなく側面方向に光を照射させるためには、光の指向性の弱いランプなどの光源を用いるか、ＬＥＤのような光の指向性が強い光源を用いる場合にはカバー部材との間の距離を長くして光を拡散させて照射領域を広くするか、直下方向だけでなく側面方向に光を照射する新たな光源を設ける必要があった。このような構成は、照明器具を大型化させる原因となっていた。本実施形態に係る照明器具１１によれば、光源部４１からの光は、まず光制御部材５１（１５１）によって反射や拡散等の制御がされて直下方向や側面方向に拡散される。光制御部材５１（１５１）で拡散された光は、さらにカバー部６１（１６１）によってより広い領域に拡散される。そのため、ＬＥＤのような光の指向性の強い光源を用いても、光源部４１からカバー部６１（１６１）との間の距離を短くしても十分に広い領域に光を拡散させることができる。これにより、光源部４１からの光を光制御部材５１（１５１）とカバー部６１（１６１）とによって制御することによって、照明器具１１の直下だけではなく側面方向にも照射できる、小型で薄型の照明器具を得ることができる。本実施形態では、光源部４１からの光を光源部４１の直下方向と側面方向を覆うように形成された光制御部材５１（１５１）により拡散させて透光性のカバー部６１（１６１）のより広い領域を通過させることができるので、側面方向にも光を導きやすい。
【００４１】
また、本実施形態では、器具本体２１は、照射面側表面の中央に照射面側に向かって突出する反射部２２ａを有している。これにより、均一な発光を得られるとともに、電源部３１から発生する熱の放熱効果を高めることができる。具体的には、図１４に示すように、光源部４１（ＬＥＤ素子４２）から出射された光（図中において放射状の点線部分）は、一部が光制御部材５１を通過するとともに、その他が光制御部材５１の内側面に反射される。当該反射された光は、反射部２２ａや円環部２２ｂの表面で反射され、光が拡散しながら照射面側へと進行する。こうして、照明器具１１の直下を明るく照らすことでき、照明器具１１の照射面側において均一な光を得ることができる。反射部２２ａを有しない場合は、反射部２２ａを有する場合よりも、照明器具１１の中央部で反射しにくい、もしくは中央部で反射する光の量が減少し、照明器具１１の直下照度が減少する可能性がある。そのため、反射部２２ａを有する方が、より照明器具１１の直下を明るく照らすことができる。また、略円錐状に形成された反射部２２ａは、平面に比べて表面積が拡大するため、電源部３１から発生する熱を効率的に空気中に放熱することができる。
【００４２】
また、本実施形態では、電源部３１は、平面視で器具本体２１の反射部２２ａと重なる位置に配置する。これにより、限られた空間内において電源部３１と反射面を配置することができるため、照明器具１１を径方向に大型化させることなく照明器具１１の小型化が図れる。
【００４３】
また、本実施形態では、光制御部材１５１は、中央に開口１５２を有するリング状に形成され、前記開口１５２の周縁に照射面側に向かって拡がる傾斜面部１５３を有している。これにより、光源部４１から出射された光は、傾斜面部１５３に入射することで、光の屈折等により器具本体２１の中央付近に向けて光が誘導され、器具本体２１の中央付近に光源部４１からの光を拡散させることができる。
【００４４】
また、本実施形態では、反射部２２ａは、少なくとも一部が光制御部材１５１の開口１５２から露出している。例えば、反射部２２ａの上方が光制御部材５１により覆われる第１実施形態と、反射部２２ａが光制御部材１５１の開口１５２から露出している第３実施形態では、反射部２２ａの照射面側に光制御部材を配置しないことにより、第１実施形態または第２実施形態よりも照明器具１１の薄型化を図ることができる。
また、反射部２２ａの先端を光制御部材１５１よりも上方に突出するように形成すれば、光制御部材１５１から誘導された光をより反射させることができる。
【００４５】
また、本実施形態では、カバー部６１（１６１）は、内面側が白色もしくは乳白色に着色されている。これに限らず、カバー部６１（１６１）は、着色剤を部材中に添加したり、白色層を印刷やシール等で形成してもよい。また、カバー部６１（１６１）は、光透過率の異なる複数の部材を組み合わせて形成することもできる。例えば、外側面側カバー部材よりも光透過率の低い内側面側カバー部材を貼り付けた二重構造のカバー部材６１を形成することもできる。これにより、カバー部６１に入射した光を拡散させることができる。
【００４６】
また、本実施形態では、光を拡散させる構造として、光制御部材５１とカバー部６１（光制御部材１５１とカバー部１６１）からなる二重構造となっており、光源部４１と照明器具１１の外部との間に二つの空間を有する構造である。これより、光源部４１から出た光が２段階で拡散されるため、照度ムラを軽減することができる。
【００４７】
また、本実施形態では、平面視においてカバー部６１（１６１）の外形が、器具本体２１の外形よりも大きく形成され、器具本体２１の照射面側の直下方向側と側面を覆っている。これより、光源部４１から出射した光が、光制御部材５１とカバー部材６１（光制御部材１５１とカバー部１６１）によって拡散されるため、取付面付近まで光を出射させることができる。
【００４８】
以上、本発明の実施形態について説明したが、本発明は上記実施形態に限定されるものではなく、様々な変更が可能である。例えば、照明器具の形状が平面視において略円形状や略正方形状以外の形状であってもよく、例えば長方形状、多角形状やその他の形状としてもよい。また、本実施形態では、光源部４１を中央凸部２２を囲うように円周状に形成したが、これに限らず、多角形状、半円状、扇形、もしくはそれら形状を組み合わせた形状など用途に合わせて適宜変更することができる。
【符号の説明】
【００４９】
１１    照明器具
２１    器具本体
２２    中央凸部
２７    外周縁部
２７ｆ  器具取付部（取付部）
３１    電源部
４１    光源部
５１、１５１    光制御部材
６１、１６１    カバー部
【図１】
2019165029.tif 000003
【図２】
2019165029.tif 000004
【図３】
2019165029.tif 000005
【図４】
2019165029.tif 000006
【図５】
2019165029.tif 000007
【図６】
2019165029.tif 000008
【図７】
2019165029.tif 000009
【図８】
2019165029.tif 000010
【図９】
2019165029.tif 000011
【図１０】
2019165029.tif 000012
【図１１】
2019165029.tif 000013
【図１２】
2019165029.tif 000014
【図１３】
2019165029.tif 000015
【図１４】
2019165029.tif 000016